(57)【要約】【課題】右目用画像または左目用画像の画像光が偏光軸制御板を透過するときに吸収されたり偏光軸が回転されることにより生じる色味の変化を補償することができる。【解決手段】右目用画像および左目用画像の画像光として出射する画像生成部、および、右目用画像の画像光および左目用画像の画像光の偏光軸を互いに直交させる偏光軸制御板を有する画像表示装置から出射するこれらの画像光を立体画像として観察するときに装着する偏光眼鏡であって、右目用画像の画像光の偏光軸と平行な偏光方向の光を透過する右目用画像透過部と、右目用画像透過部の偏光方向と直交しており、左目用画像の画像光の偏光軸と平行な偏光方向の光を透過する左目用画像透過部と、偏光軸制御板における吸収および偏光軸の回転により強度が減衰する波長帯域以外の波長帯域の画像光を吸収することにより、当該波長帯域の画像光の強度を相対的に強める色味補償部とを備える。【選択図】図２
2008170557.tif 000002
【特許請求の範囲】
【請求項１】
右目用画像および左目用画像を生成してそれぞれ特定方向の偏光軸の画像光として出射する画像生成部、および、前記画像生成部に対向して配されて、入射した前記右目用画像の画像光および前記左目用画像の画像光のうちの一方の画像光の偏光軸を回転して他方の偏光軸に直交させる偏光軸制御板を有する画像表示装置から出射する前記右目用画像の画像光および前記左目用画像の画像光を立体画像として観察するときに観察者が装着する偏光眼鏡であって、
前記観察者の右目側に配されて、前記右目用画像の画像光の偏光軸と平行な偏光方向の光を透過する右目用画像透過部と、
前記観察者の左目側に配されて、前記右目用画像透過部の前記偏光方向と直交しており、前記左目用画像の画像光の偏光軸と平行な偏光方向の光を透過する左目用画像透過部と、
前記観察者の前記右目および前記左目のうち、前記偏光軸制御板において偏光軸が回転される前記一方の画像光に対応する一方の側に配されて、前記一方の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部と
を備える偏光眼鏡。
【請求項２】
前記観察者の前記右目および前記左目のうちの他方の側に配され、前記一方の画像光が前記偏光軸制御板における吸収および偏光軸の回転により強度が減衰したのと同じ分だけ、他方の画像光の強度を減衰させる強度調整部をさらに備える請求項１に記載の偏光眼鏡。
【請求項３】
右目用画像および左目用画像を生成してそれぞれ特定方向の偏光軸の画像光として出射する画像生成部、および、前記画像生成部に対向して配されて、入射した前記右目用画像の画像光および前記左目用画像の画像光の偏光軸を共に回転させて互いに直交させる偏光軸制御板を有する画像表示装置から出射する前記右目用画像の画像光および前記左目用画像の画像光を立体画像として観察するときに観察者が装着する偏光眼鏡であって、
前記観察者の右目側に配されて、前記右目用画像の画像光の偏光軸と平行な偏光方向の光を透過する右目用画像透過部と、
前記観察者の左目側に配されて、前記右目用画像透過部の前記偏光方向と直交しており、前記左目用画像の画像光の偏光軸と平行な偏光方向の光を透過する左目用画像透過部と、
前記観察者の右目側および左目側に配されて、前記右目用画像の画像光および前記左目用画像の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部と
を備える偏光眼鏡。
【請求項４】
右目用画像および左目用画像を生成してそれぞれ特定方向の偏光軸の画像光として出射する画像生成部、および、前記画像生成部に対向して配されて、入射した前記右目用画像の画像光と前記左目用画像の画像光とを偏光軸が互いに反対の方向に回転する円偏光に変換する偏光軸制御板を有する画像表示装置から出射する前記右目用画像の画像光および前記左目用画像の画像光を立体画像として観察するときに観察者が装着する偏光眼鏡であって、
前記観察者の右目側および左目側に配されて、前記画像表示装置から出射する前記右目用画像の画像光および前記左目用画像の画像光を偏光軸が互いに直交する直線偏光および偏光軸が互いに平行な直線偏光の一方に変換する位相差板と、
前記観察者の右目側に配されて、前記観察者の右目側に配された前記位相差板において直線偏光に変換された前記右目用画像の画像光の偏光軸と平行な偏光方向の光を透過する右目用画像透過部と、
前記観察者の左目側に配されて、前記観察者の左目側に配された前記位相差板において直線偏光に変換された前記左目用画像の画像光の偏光軸と平行な偏光方向の光を透過する左目用画像透過部と、
前記観察者の右目側および左目側に配されて、前記右目用画像の画像光および前記左目用画像の画像光の波長帯域のうちで前記偏光軸制御板における吸収、円偏光への変換および前記位相差板における直線偏光への変換により強度が減衰する波長帯域以外の波長帯域の画像光を吸収することにより、強度が減衰する前記波長帯域の画像光の強度を相対的に強める色味補償部と
を備える偏光眼鏡。
【請求項５】
観察者に立体画像を表示する立体画像表示システムであって、
右目用画像の画像光および左目用画像の画像光を観察者に向けて出射する画像表示装置と、
前記観察者に装着される偏光眼鏡と
を備え、
前記画像表示装置は、
前記右目用画像を生成する右目画像生成領域および前記左目用画像を生成する左目画像生成領域を含み、前記右目画像生成領域で生成される前記右目用画像および前記左目画像生成領域で生成される前記左目用画像をそれぞれ特定方向の偏光軸の画像光として出射する画像生成部、および、
前記右目画像生成領域に対向して配される第一偏光領域および前記左目画像生成領域に対向して配される第二偏光領域を含み、前記第一偏光領域に入射した前記右目用画像の画像光または前記第二偏光領域に入射した前記左目用画像の画像光のうちの一方の画像光の偏光軸を回転して他方の偏光軸に直交させる偏光軸制御板
を有し、
前記偏光眼鏡は、
前記観察者の右目側に配されて、前記右目用画像の画像光の偏光軸と平行な偏光方向の光を透過する右目用画像透過部、
前記観察者の左目側に配されて、前記右目用画像透過部の前記偏光方向と直交しており、前記左目用画像の画像光の偏光軸と平行な偏光方向の光を透過する左目用画像透過部、および、
前記観察者の前記右目および前記左目のうち、前記偏光軸制御板において偏光軸が回転される前記一方の画像光に対応する一方の側に配されて、前記一方の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部、
を有する立体画像表示システム。
【請求項６】
観察者に立体画像を表示する立体画像表示システムであって、
右目用画像の画像光および左目用画像の画像光を観察者に向けて出射する画像表示装置と、
前記観察者に装着される偏光眼鏡と
を備え、
前記画像表示装置は、
前記右目用画像を生成する右目画像生成領域および前記左目用画像を生成する左目画像生成領域を含み、前記右目画像生成領域で生成される前記右目用画像および前記左目画像生成領域で生成される前記左目用画像をそれぞれ特定方向の偏光軸の画像光として出射する画像生成部、および、
前記右目画像生成領域に対向して配される第一偏光領域および前記左目画像生成領域に対向して配される第二偏光領域を含み、前記第一偏光領域に入射した前記右目用画像の画像光および前記第二偏光領域に入射した前記左目用画像の画像光の偏光軸を共に回転させて互いに直交させる偏光軸制御板
を有し、
前記偏光眼鏡は、
前記観察者の右目側に配されて、前記右目用画像の画像光の偏光軸と平行な偏光方向の光を透過する右目用画像透過部、
前記観察者の左目側に配されて、前記右目用画像透過部の前記偏光方向と直交しており、前記左目用画像の画像光の偏光軸と平行な偏光方向の光を透過する左目用画像透過部、および、
前記観察者の右目側および左目側に配されて、前記右目用画像の画像光および前記左目用画像の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部、
を有する立体画像表示システム。
【請求項７】
観察者に立体画像を表示する立体画像表示システムであって、
右目用画像の画像光および左目用画像の画像光を観察者に向けて出射する画像表示装置と、
前記観察者に装着される偏光眼鏡と
を備え、
前記画像表示装置は、
前記右目用画像を生成する右目画像生成領域および前記左目用画像を生成する左目画像生成領域を含み、前記右目画像生成領域で生成される前記右目用画像および前記左目画像生成領域で生成される前記左目用画像をそれぞれ特定方向の偏光軸の画像光として出射する画像生成部、および、
前記右目画像生成領域に対向して配される第一偏光領域および前記左目画像生成領域に対向して配される第二偏光領域を含み、前記第一偏光領域に入射した前記右目用画像の画像光と前記第二偏光領域に入射した前記左目用画像の画像光とを偏光軸が互いに反対の方向に回転する円偏光に変換する偏光軸制御板
を有し、
前記偏光眼鏡は、
前記観察者の右目側および左目側に配されて、前記画像表示装置から出射する前記右目用画像の画像光および前記左目用画像の画像光を偏光軸が互いに直交する直線偏光および偏光軸が互いに平行な直線偏光の一方に変換する位相差板、
前記観察者の右目側に配されて、前記観察者の右目側に配された前記位相差板において直線偏光に変換された前記右目用画像の画像光の偏光軸と平行な偏光方向の光を透過する右目用画像透過部、
前記観察者の左目側に配されて、前記観察者の左目側に配された前記位相差板において直線偏光に変換された前記左目用画像の画像光の偏光軸と平行な偏光方向の光を透過する左目用画像透過部、および、
前記観察者の右目側および左目側に配されて、前記右目用画像の画像光および前記左目用画像の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部、
を有する立体画像表示システム。
【発明の詳細な説明】
【技術分野】
【０００１】
本発明は、偏光眼鏡および立体画像表示システムに関する。特に、本発明は、観察者に右目用画像および左目用画像を投影することにより立体画像を表示する立体画像表示システムおよび当該立体画像表示システムに用いられる偏光眼鏡に関する。
【背景技術】
【０００２】
観察者に対して立体画像を認識させる装置として、右目用の画像と左目用の画像をそれぞれ異なる領域に表示させる画像生成部、および、二つの異なる領域に入射した偏光の偏光軸を互いに直交させる偏光軸制御板を含む画像表示装置が知られている。また、このような画像表示装置により表示される上記右目用の画像および左目用の画像を観察者に立体画像として認識させる偏光眼鏡が知られている（例えば特許文献１および２を参照）。
【特許文献１】特開平１０−２３２３６５号公報
【特許文献２】特開２００４−２６４３３８号公報
【発明の開示】
【発明が解決しようとする課題】
【０００３】
このような画像表示装置に上記右目用の画像および左目用の画像を表示させてこれらの画像を観察するときに、これらの画像に画像表示装置からの色とは異なる色味がつく。これは、上記画像表示装置の偏光軸制御板において上記画像光の偏光軸が回転されるときに、当該画像光の色（波長）によって回転される角度が多少異なることによる。偏光軸制御板における偏光軸の回転角度がこのように光の波長に依存することにより、例えば緑色光が入射したときにその偏光軸を９０度回転させる偏光軸制御板に画像光を入射した場合、画像光に含まれる青色光や赤色光は回転角度が９０度からずれる。したがって、このような偏光軸制御板を配した画像表示装置から出射される画像光を偏光眼鏡に通した場合、例えば緑色など特定の色の光の強度が相対的に強くなることにより、原画像に対して色味の変化が生じるという不具合があった。
【課題を解決するための手段】
【０００４】
上記課題を解決するために、本発明の第１の形態においては、右目用画像および左目用画像を生成してそれぞれ特定方向の偏光軸の画像光として出射する画像生成部、および、画像生成部に対向して配されて、入射した右目用画像の画像光および左目用画像の画像光のうちの一方の画像光の偏光軸を回転して他方の偏光軸に直交させる偏光軸制御板を有する画像表示装置から出射する右目用画像の画像光および左目用画像の画像光を立体画像として観察するときに観察者が装着する偏光眼鏡であって、観察者の右目側に配されて、右目用画像の画像光の偏光軸と平行な偏光方向の光を透過する右目用画像透過部と、観察者の左目側に配されて、右目用画像透過部の偏光方向と直交しており、左目用画像の画像光の偏光軸と平行な偏光方向の光を透過する左目用画像透過部と、観察者の右目および左目のうち、偏光軸制御板において偏光軸が回転される一方の画像光に対応する一方の側に配されて、一方の画像光の波長帯域のうちで偏光軸制御板における吸収および偏光軸の回転により強度が減衰する波長帯域以外の波長帯域の画像光を吸収することにより、強度が減衰する波長帯域の画像光の強度を相対的に強める色味補償部とを備える偏光眼鏡が提供される。また、上記第１の形態の偏光眼鏡は、観察者の右目および左目のうちの他方の側に配され、一方の画像光が偏光軸制御板における吸収および偏光軸の回転により強度が減衰したのと同じ分だけ、他方の画像光の強度を減衰させる強度調整部をさらに備えることが好ましい。
【０００５】
また、本発明の第２の形態においては、右目用画像および左目用画像を生成してそれぞれ特定方向の偏光軸の画像光として出射する画像生成部、および、画像生成部に対向して配されて、入射した右目用画像の画像光および左目用画像の画像光の偏光軸を共に回転させて互いに直交させる偏光軸制御板を有する画像表示装置から出射する右目用画像の画像光および左目用画像の画像光を立体画像として観察するときに観察者が装着する偏光眼鏡であって、観察者の右目側に配されて、右目用画像の画像光の偏光軸と平行な偏光方向の光を透過する右目用画像透過部と、観察者の左目側に配されて、右目用画像透過部の偏光方向と直交しており、左目用画像の画像光の偏光軸と平行な偏光方向の光を透過する左目用画像透過部と、観察者の右目側および左目側に配されて、右目用画像の画像光および左目用画像の画像光の波長帯域のうちで偏光軸制御板における吸収および偏光軸の回転により強度が減衰する波長帯域以外の波長帯域の画像光を吸収することにより、強度が減衰する波長帯域の画像光の強度を相対的に強める色味補償部とを備える偏光眼鏡が提供される。
【０００６】
また、本発明の第３の形態においては、右目用画像および左目用画像を生成してそれぞれ特定方向の偏光軸の画像光として出射する画像生成部、および、画像生成部に対向して配されて、入射した右目用画像の画像光と左目用画像の画像光とを偏光軸が互いに反対の方向に回転する円偏光に変換する偏光軸制御板を有する画像表示装置から出射する右目用画像の画像光および左目用画像の画像光を立体画像として観察するときに観察者が装着する偏光眼鏡であって、観察者の右目側および左目側に配されて、画像表示装置から出射する右目用画像の画像光および左目用画像の画像光を偏光軸が互いに直交する直線偏光および偏光軸が互いに平行な直線偏光の一方に変換する位相差板と、観察者の右目側に配されて、観察者の右目側に配された位相差板において直線偏光に変換された右目用画像の画像光の偏光軸と平行な偏光方向の光を透過する右目用画像透過部と、観察者の左目側に配されて、観察者の左目側に配された位相差板において直線偏光に変換された左目用画像の画像光の偏光軸と平行な偏光方向の光を透過する左目用画像透過部と、観察者の右目側および左目側に配されて、右目用画像の画像光および左目用画像の画像光の波長帯域のうちで偏光軸制御板における吸収、円偏光への変換および位相差板における直線偏光への変換により強度が減衰する波長帯域以外の波長帯域の画像光を吸収することにより、強度が減衰する波長帯域の画像光の強度を相対的に強める色味補償部とを備える偏光眼鏡が提供される。
【０００７】
また、本発明の第４の形態においては、観察者に立体画像を表示する立体画像表示システムであって、右目用画像の画像光および左目用画像の画像光を観察者に向けて出射する画像表示装置と、観察者に装着される偏光眼鏡とを備え、画像表示装置は、右目用画像を生成する右目画像生成領域および前記左目用画像を生成する左目画像生成領域を含み、前記右目画像生成領域で生成される前記右目用画像および前記左目画像生成領域で生成される前記左目用画像をそれぞれ特定方向の偏光軸の画像光として出射する画像生成部、および、前記右目画像生成領域に対向して配される第一偏光領域および前記左目画像生成領域に対向して配される第二偏光領域を含み、前記第一偏光領域に入射した前記右目用画像の画像光および前記第二偏光領域に入射した前記左目用画像の画像光の偏光軸を共に回転させて互いに直交させる偏光軸制御板を有し、前記偏光眼鏡は、前記観察者の右目側に配されて、前記右目用画像の画像光の偏光軸と平行な偏光方向の光を透過する右目用画像透過部、前記観察者の左目側に配されて、前記右目用画像透過部の前記偏光方向と直交しており、前記左目用画像の画像光の偏光軸と平行な偏光方向の光を透過する左目用画像透過部、および、前記観察者の右目側および左目側に配されて、前記右目用画像の画像光および前記左目用画像の画像光の波長帯域のうちで前記偏光軸制御板における吸収および偏光軸の回転により強度が減衰する波長帯域以外の波長帯域の画像光を吸収することにより、強度が減衰する前記波長帯域の画像光の強度を相対的に強める色味補償部、を有する立体画像表示システムが提供される。
【０００８】
また、本発明の第５の形態においては、観察者に立体画像を表示する立体画像表示システムであって、右目用画像の画像光および左目用画像の画像光を観察者に向けて出射する画像表示装置と、観察者に装着される偏光眼鏡とを備え、画像表示装置は、右目用画像を生成する右目画像生成領域および左目用画像を生成する左目画像生成領域を含み、右目画像生成領域で生成される右目用画像および左目画像生成領域で生成される左目用画像をそれぞれ特定方向の偏光軸の画像光として出射する画像生成部、および、右目画像生成領域に対向して配される第一偏光領域および左目画像生成領域に対向して配される第二偏光領域を含み、第一偏光領域に入射した右目用画像の画像光と第二偏光領域に入射した左目用画像の画像光とを偏光軸が互いに反対の方向に回転する円偏光に変換する偏光軸制御板を有し、偏光眼鏡は、観察者の右目側および左目側に配されて、画像表示装置から出射する右目用画像の画像光および左目用画像の画像光を偏光軸が互いに直交する直線偏光および偏光軸が互いに平行な直線偏光の一方に変換する位相差板、観察者の右目側に配されて、観察者の右目側に配された位相差板において直線偏光に変換された右目用画像の画像光の偏光軸と平行な偏光方向の光を透過する右目用画像透過部、観察者の左目側に配されて、観察者の左目側に配された位相差板において直線偏光に変換された左目用画像の画像光の偏光軸と平行な偏光方向の光を透過する左目用画像透過部、および、観察者の右目側および左目側に配されて、右目用画像の画像光および左目用画像の画像光の波長帯域のうちで偏光軸制御板における吸収および偏光軸の回転により強度が減衰する波長帯域以外の波長帯域の画像光を吸収することにより、強度が減衰する波長帯域の画像光の強度を相対的に強める色味補償部、を有する立体画像表示システムが提供される。
【０００９】
また、本発明の第６の形態においては、観察者に立体画像を表示する立体画像表示システムであって、右目用画像の画像光および左目用画像の画像光を観察者に向けて出射する画像表示装置と、観察者に装着される偏光眼鏡とを備え、画像表示装置は、右目用画像を生成する右目画像生成領域および左目用画像を生成する左目画像生成領域を含み、右目画像生成領域で生成される右目用画像および左目画像生成領域で生成される左目用画像をそれぞれ特定方向の偏光軸の画像光として出射する画像生成部、および、右目画像生成領域に対向して配される第一偏光領域および左目画像生成領域に対向して配される第二偏光領域を含み、第一偏光領域に入射した右目用画像の画像光または第二偏光領域に入射した左目用画像の画像光のうちの一方の画像光の偏光軸を回転して他方の偏光軸に直交させる偏光軸制御板を有し、偏光眼鏡は、観察者の右目側に配されて、右目用画像の画像光の偏光軸と平行な偏光方向の光を透過する右目用画像透過部、観察者の左目側に配されて、右目用画像透過部の偏光方向と直交しており、左目用画像の画像光の偏光軸と平行な偏光方向の光を透過する左目用画像透過部、および、観察者の右目および左目のうち、偏光軸制御板において偏光軸が回転される一方の画像光に対応する一方の側に配されて、一方の画像光の波長帯域のうちで偏光軸制御板における吸収および偏光軸の回転により強度が減衰する波長帯域以外の波長帯域の画像光を吸収することにより、強度が減衰する波長帯域の画像光の強度を相対的に強める色味補償部、を有する立体画像表示システムが提供される。
【００１０】
なお、上記の発明の概要は、本発明の必要な特徴の全てを列挙したものではなく、これらの特徴群のサブコンビネーションもまた、発明となりうる。
【発明の効果】
【００１１】
以上の説明から明らかなように、右目用画像または左目用画像の画像光が偏光軸制御板を透過するときに吸収されたり偏光軸が回転されることにより生じる色味の変化を補償することができる。したがって、観察者は原画像により忠実な色調の立体画像を観察することができる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本実施形態の立体画像表示システム１０の一部である画像表示装置１００の分解斜視図である。本実施形態の立体画像表示システム１０は、画像表示装置１００と後述する偏光眼鏡２００とを備える。図１に示すように、画像表示装置１００は、光源１２０と、偏光板１５０と、画像生成部１６０と、偏光板１７０と、偏光軸制御板１８０とをこの順で備え、これらが筐体（不図示）に収容されている。この画像表示装置１００に表示される立体画像を後述する観察者５００が観察する場合、図１における偏光軸制御板１８０よりも右側から観察する。
【００１４】
光源１２０は、観察者５００から見て画像表示装置１００の最も奥側に配され、立体画像表示システム１０の一部として画像表示装置１００を使用している状態（以下、「画像表示装置１００の使用状態」と略称する）において、白色の無偏光を偏光板１５０の一面に向けて出射する。なお、本実施形態では、光源１２０に面光源を用いているが、面光源に替えて例えば点光源と集光レンズとの組み合わせでもよい。この集光レンズの一例は、フレネルレンズシートである。
【００１５】
偏光板１５０は、画像生成部１６０における光源１２０側に配される。偏光板１５０は、透過軸および当該透過軸に直交する吸収軸を有し、光源１２０から出射した無偏光が入射すると、その無偏光のうち透過軸方向と平行な偏光軸の光を透過し、吸収軸方向と平行な偏光軸の光を遮断する。ここで、偏光軸の方向とは、光における電界の振動方向のことであり、偏光板１５０における透過軸の方向は、図１に矢印で示すように、観察者５００が画像表示装置１００を見たときの水平方向から右上４５度の方向である。
【００１６】
画像生成部１６０は、右目画像生成領域１６２および左目画像生成領域１６４を有する。これら右目画像生成領域１６２および左目画像生成領域１６４は、図１に示すように、画像生成部１６０を水平方向に区切った領域であり、複数の右目画像生成領域１６２および左目画像生成領域１６４が鉛直方向に互い違いに配されている。画像表示装置１００の使用状態において、画像生成部１６０の右目画像生成領域１６２および左目画像生成領域１６４には、それぞれ右目用画像および左目用画像が生成される。このときに偏光板１５０を透過した光が画像生成部１６０の右目画像生成領域１６２および左目画像生成領域１６４に入射すると、右目画像生成領域１６２の透過光は右目用画像の画像光（以下、「右目用画像光」と略称する）となり、左目画像生成領域１６４の透過光は左目用画像の画像光（以下、「左目用画像光」と略称する）となる。なお、右目画像生成領域１６２を透過した右目用画像光および左目画像生成領域１６４を透過した左目用画像光は、それぞれ特定方向の偏光軸を有する直線偏光である。ここで、それぞれ特定方向の偏光軸とは、互いに同じ方向であってもよく、図１に示す例においては、ともに偏光軸が後述する偏光板１７０における透過軸の方向と同じ方向である。このような画像生成部１６０には、例えば水平方向及び垂直方向に二次元的に複数の小さなセルが配され、各セルにおいて配向膜間に液晶を封止したＬＣＤ（液晶ディスプレイ）が用いられる。このＬＣＤにおいて各セルを電気的に駆動することにより、各セルは、通過する光をその偏光軸の方向を変えずに透過する状態と、偏光軸の方向を９０度回転させて透過する状態とを切り替える。
【００１７】
偏光板１７０は、画像生成部１６０における観察者５００側に配される。この偏光板１７０は、上記右目画像生成領域１６２を透過した右目用画像光、および、上記左目画像生成領域１６４を透過した左目用画像光が入射すると、これらのうち偏光軸が透過軸と平行な光を透過し、偏光軸が吸収軸と平行な光を遮断する。ここで、偏光板１７０における透過軸の方向は、図１に矢印で示すように、観察者５００が画像表示装置１００を見たときの水平方向から左上４５度の方向である。
【００１８】
偏光軸制御板１８０は、第一偏光領域１８１および第二偏光領域１８２を有する。この偏光軸制御板１８０における第一偏光領域１８１および第二偏光領域１８２の位置および大きさは、図１に示すように、画像生成部１６０の右目画像生成領域１６２および左目画像生成領域１６４の位置および大きさに対応している。したがって、画像表示装置１００の使用状態において、第一偏光領域１８１には、上記右目画像生成領域１６２を透過した右目用画像光が入射し、第二偏光領域１８２には、上記左目画像生成領域１６４を透過した左目用画像光が入射する。
【００１９】
第一偏光領域１８１は、入射した右目用画像光の偏光軸を回転させずにそのまま透過する。また、第二偏光領域１８２は、入射した左目用画像光の偏光軸を第一偏光領域１８１に入射した右目用画像光の偏光軸に対して直交する方向に回転させる。したがって、第一偏光領域１８１を透過した右目用画像光の偏光軸と、第二偏光領域１８２を透過した左目用画像光の偏光軸とは、図１に矢印で示すように、その方向が互いに直交する。なお、図１の偏光軸制御板１８０における矢印は、偏光軸制御板１８０を通過した偏光の偏光軸を示している。第一偏光領域１８１には、例えば透明なガラスまたは樹脂などが用いられ、第二偏光領域１８２には、例えば入射される左目用画像光の偏光軸の方向に対して４５度の角度の光学軸を有する半波長板が用いられる。図１に示す例において、第二偏光領域１８２の光学軸の方向は、水平方向または鉛直方向である。ここで、光学軸とは、光が第二偏光領域１８２を透過するときの進相軸または遅相軸の一方を指す。
【００２０】
また、上記画像表示装置１００は、偏光軸制御板１８０よりも観察者５００側（図１における偏光軸制御板１８０の右側）に、上記偏光軸制御板１８０の第一偏光領域１８１および第二偏光領域１８２を透過した右目用画像光および左目用画像光を水平方向または鉛直方向の少なくとも一方の方向に拡散する拡散板を有してもよい。このような拡散板には、例えば水平方向または鉛直方向に延伸するかまぼこ状の凸レンズ（シリンドリカルレンズ）が複数配されたレンチキュラーレンズシート、または、凸レンズが平面状に複数配されたレンズアレイシートが用いられる。
【００２１】
図２は、立体画像表示システム１０の使用状態を示す概略図である。また、図３は、立体画像表示システム１０により表示される立体画像の観察に用いる偏光眼鏡２００の分解斜視図である。立体画像表示システム１０により立体画像を観察するときに、観察者５００は、図２に示すように、画像表示装置１００から投影される右目用画像光および左目用画像光を、偏光眼鏡２００をかけて観察する。この偏光眼鏡２００には、図３に示すように、観察者５００がこの偏光眼鏡２００をかけたときに観察者５００の右目５１２側にあたる位置に右目用画像透過部２３２および強度調整部２１２が配され、左目５１４側にあたる位置に左目用画像透過部２３４および色味補償部２１４が配される。右目用画像透過部２３２と強度調整部２１２、および、左目用画像透過部２３４と色味補償部２１４は、例えばそれぞれ互いに貼り付けられてフレーム２５０に固定されている。
【００２２】
右目用画像透過部２３２は、透過軸方向が図３に示すように第一偏光領域１８１を透過した右目用画像光と同じ方向であり、吸収軸方向が上記透過軸方向と直交する方向である。左目用画像透過部２３４は、透過軸方向が図３に示すように第二偏光領域１８２を透過した左目用画像光と同じ方向であり、吸収軸方向が上記透過軸方向と直交する方向である。これら右目用画像透過部２３２および左目用画像透過部２３４には、例えば二色性染料を含浸させたフィルムを一軸延伸して得られる偏光膜を貼り付けた偏光レンズが用いられる。
【００２３】
観察者５００は、立体画像表示システム１０により立体画像を観察するときに、上記偏光軸制御板１８０の第一偏光領域１８１および第二偏光領域１８２を透過した右目用画像光および左目用画像光の出射する範囲内において、上記のように、偏光眼鏡２００をかけて画像表示装置１００を観察することにより、右目５１２では右目用画像光だけを観察することができ、左目５１４では左目用画像光だけを観察することができる。したがって、観察者５００は、これら右目用画像光および左目用画像光を立体画像として認識することができる。
【００２４】
また、上記偏光眼鏡２００は、図３に示すように、観察者５００の右目５１２側に強度調整部２１２が配され、左目５１４側に色味補償部２１４が配される。偏光眼鏡２００において、これら強度調整部２１２および色味補償部２１４は、上記右目用画像透過部２３２および左目用画像透過部２３４にそれぞれ貼り付けられるか、またはフレーム２５０に固定されている。
【００２５】
色味補償部２１４は、左目用画像光が上記偏光眼鏡２００の左目用画像透過部２３４を透過するときに、左目用画像光における強度が減衰する波長帯域以外の波長帯域の画像光を一定の割合だけ吸収することにより、強度が減衰する波長帯域の画像光の強度を相対的に強める。ここで、上記のように左目用画像透過部２３４を透過した左目用画像光が上記波長帯域で減衰するのは、偏光軸制御板１８０の第二偏光領域１８２が、入射する光の色（波長）によって透過する光の偏光軸の方向が多少異なるという特性を有することによる。すなわち、上記偏光軸制御板１８０の第二偏光領域１８２に、例えば入射した光が緑色光のときにその偏光軸をほぼ正確に９０度だけ回転させる特性を有する半波長板が用いられている場合、左目用画像光に含まれる青色光や赤色光が第二偏光領域１８２を透過するときのこれらの偏光軸の回転角度は９０度と異なる角度となる。したがって、左目用画像光に含まれる青色光および赤色光などの偏光軸の方向は、上記偏光眼鏡２００の左目用画像透過部２３４の透過軸方向と平行でなく、左目用画像透過部２３４を透過するときに、その強度が減衰する。また、上記一定の割合は、左目用画像光が偏光軸制御板１８０の第二偏光領域１８２を透過する前後において強度が減衰する上記波長帯域における減衰の割合に対応する。
【００２６】
さらに、色味補償部２１４は、左目用画像光が偏光軸制御板１８０の第二偏光領域１８２を透過するときに、第二偏光領域１８２に吸収されることにより強度が減衰する波長帯域以外の波長帯域の画像光を一定の割合だけ吸収する。これにより、左目用画像光における上記第二偏光領域１８２に吸収されることにより強度が減衰する波長帯域の画像光の強度を相対的に強める。なお、上記色味補償部２１４には、例えばカラーフィルターなどが用いられる。
【００２７】
このような色味補償部２１４を上記偏光眼鏡２００における左目５１４側に配することにより、左目用画像光が偏光軸制御板１８０の第二偏光領域１８２を透過するときに吸収されることにより生じる色味の変化、または、偏光軸が回転されることにより生じる色味の変化を補償することができる。したがって、観察者５００は、左目５１４において例えば青みがかったり赤味がかった左目用画像光を観察することがないので、原画像により忠実な色調の立体画像を観察することができる。
【００２８】
強度調整部２１２は、右目用画像光が入射したときに、上記一定の割合だけ、すなわち、左目用画像光が偏光軸制御板１８０における吸収および偏光軸の回転により強度が減衰したのと同じ分だけ、右目用画像光の強度を減衰させる。したがって、強度調整部２１２を透過した右目用画像光の強度は、上記色味補償部２１４を透過した左目用画像光の強度と略等しくなる。上記偏光眼鏡２００における右目５１２側にこのような強度調整部２１２を配することにより、観察者５００が右目用画像光と左目用画像光とに強度差を感じることがない。
【００２９】
図４は、図１に示す画像表示装置１００に替えて立体画像表示システム１０に用いることのできる画像表示装置１０１の分解斜視図である。図４に示す画像表示装置１０１において、上記画像表示装置１００と同じ構成については同じ参照番号を付して説明を省略する。図４に示すように、画像表示装置１０１は、上記画像表示装置１００の偏光軸制御板１８０に替えて偏光軸制御板１８５を備える。この偏光軸制御板１８５は、第一偏光領域１８６および第二偏光領域１８７を有する。ここで、第一偏光領域１８６および第二偏光領域１８７は、ともに１／４波長板であり、それぞれの光学軸が互いに直交する。この偏光軸制御板１８５における第一偏光領域１８６および第二偏光領域１８７の位置および大きさは、上記偏光軸制御板１８０における第一偏光領域１８１および第二偏光領域１８２の位置および大きさと同様に、画像生成部１６０の右目画像生成領域１６２および左目画像生成領域１６４の位置および大きさに対応している。したがって、画像表示装置１０１の使用状態において、第一偏光領域１８６には、上記右目画像生成領域１６２を透過した右目用画像光が入射し、第二偏光領域１８７には、上記左目画像生成領域１６４を透過した左目用画像光が入射する。
【００３０】
図４に示す偏光軸制御板１８５は、入射した光を偏光軸の回転方向が互いに逆方向である円偏光として出射する。例えば、第一偏光領域１８６は入射した光を右回りの円偏光として出射し、第二偏光領域１８７は入射した光を左回りの円偏光として出射する。ここで、図４の偏光軸制御板１８５の矢印は、この偏光軸制御板１８５を通過した偏光の回転方向を示している。第一偏光領域１８６には、例えば光学軸が水平方向である１／４波長板が用いられ、第二偏光領域１８７には、例えば光学軸が鉛直方向である１／４波長板が用いられる。
【００３１】
図４に示す偏光軸制御板１８５を備えた画像表示装置１０１を観察する場合、観察者５００は、例えば図５に示す偏光眼鏡２０１をかけて観察することが好ましい。図５に示す偏光眼鏡２０１において、上記偏光眼鏡２００と同じ構成については同じ参照番号を付して説明を省略する。この偏光眼鏡２０１には、観察者５００がこの偏光眼鏡２０１をかけたときに観察者５００の右目５１２側にあたる位置に位相差板２４３、右目用画像透過部２３３および色味補償部２１３が図５に示す順序で配され、左目５１４側にあたる位置に位相差板２４５、左目用画像透過部２３５および色味補償部２１５が図５に示す順序で配される。位相差板２４３および右目用画像透過部２３３は、例えば互いに貼り付けられており、さらに色味補償部２１３に貼り付けられるか、またはフレーム２５０に固定されている。また、位相差板２４５および左目用画像透過部２３５は、上記位相差板２４３および右目用画像透過部２３３と同様に、例えば互いに貼り付けられており、さらに色味補償部２１５に貼り付けられるか、またはフレーム２５０に固定されている。
【００３２】
上記位相差板２４３および位相差板２４５には、それぞれの光学軸が互いに直交する１／４波長板が配される。例えば、位相差板２４３には、ポリカーボネートで形成された光学軸が水平方向である１／４波長板が用いられ、位相差板２４５には、ポリカーボネートで形成された光学軸が鉛直方向である１／４波長板が用いられる。位相差板２４３は、偏光軸が観察者５００から見て右回りの円偏光が入射したときに、その円偏光を右斜め４５度の直線偏光に変換する。また、位相差板２４５は、偏光軸が観察者５００から見て左回りの円偏光が入射したときに、その円偏光を右斜め４５度の直線偏光に変換する。
【００３３】
右目用画像透過部２３３および左目用画像透過部２３５は、ともに透過軸方向が観察者５００から見て右斜め４５度であり、吸収軸方向が上記透過軸方向と直交する方向である。これら右目用画像透過部２３３および左目用画像透過部２３５には、例えば二色性染料を含浸させたフィルムを一軸延伸して得られる偏光膜を貼り付けた偏光レンズが用いられる。観察者５００は、上記偏光眼鏡２０１をかけて画像表示装置１０１を観察することにより、右目５１２では右目用画像光だけを観察することができ、左目５１４では左目用画像光だけを観察することができる。
【００３４】
色味補償部２１３は、右目用画像光が入射したときに、右目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第一偏光領域１８６および偏光眼鏡２０１の位相差板２４３などを透過するときに右目用画像光において強度が減衰する波長帯域に対応する。
【００３５】
色味補償部２１５は、左目用画像光が入射したときに、左目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第二偏光領域１８７および偏光眼鏡２０１の位相差板２４５などを透過するときに左目用画像光において強度が減衰する波長帯域にそれぞれ対応する。
【００３６】
このように、偏光眼鏡２０１は、観察者５００の右目５１２側および左目５１４側にそれぞれ色味補償部２１３および色味補償部２１５を配することにより、右目用画像光および左目用画像光がそれぞれ偏光軸制御板１８５の第一偏光領域１８６および第二偏光領域１８７、さらには偏光眼鏡２０１の位相差板２４３および位相差板２４５を透過するときに生じる色味の変化を補償することができる。したがって、観察者５００は、例えば青味がかったり赤味がかった右目用画像光および左目用画像光を観察することがないので、原画像により忠実な色調の立体画像を観察することができる。
【００３７】
また、上記画像表示装置１０１を観察する場合、観察者５００は、図６に示す偏光眼鏡２０２をかけて観察してもよい。図６に示す偏光眼鏡２０２において、上記偏光眼鏡２００、２０１と同じ構成については同じ参照番号を付して説明を省略する。この偏光眼鏡２０２には、図６に示すように、観察者５００がこの偏光眼鏡２０２をかけたときに観察者５００の右目５１２側にあたる位置に位相差板３４３、右目用画像透過部３３３および色味補償部３１３が図６に示す順序で配され、左目５１４側にあたる位置に位相差板３４５、左目用画像透過部３３５および色味補償部３１５が図６に示す順序で配される。
【００３８】
偏光眼鏡２０２の位相差板３４３および位相差板３４５は、光学軸がともに水平方向である１／４波長板である。したがって、位相差板３４３は、偏光軸が観察者５００から見て右回りの円偏光が入射したときに、その円偏光を左斜め４５度の直線偏光に変換する。また、位相差板３４５は、偏光軸が観察者５００から見て左回りの円偏光が入射したときに、その円偏光を右斜め４５度の直線偏光に変換する。
【００３９】
また、偏光眼鏡２０２の右目用画像透過部３３３には、透過軸方向が右斜め４５度の方向であり吸収軸方向が上記透過軸方向と直交する方向である偏光膜を貼り付けた偏光レンズが用いられる。また、左目用画像透過部３３５には、透過軸方向が左斜め４５度の方向であり吸収軸方向が上記透過軸方向と直交する方向である偏光膜を貼り付けた偏光レンズが用いられる。
【００４０】
観察者５００は、偏光眼鏡２０２をかけて画像表示装置１０１を観察することにより、上記偏光眼鏡２０１をかけて画像表示装置１０１を観察するときと同様に、右目５１２では右目用画像光だけを観察することができ、左目５１４では左目用画像光だけを観察することができる。
【００４１】
また、偏光眼鏡２０２の色味補償部３１３は、右目用画像光が入射したときに、右目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第一偏光領域１８６および偏光眼鏡２０２の位相差板３４３などを透過するときに右目用画像光において強度が減衰する波長帯域に対応する。
【００４２】
また、偏光眼鏡２０２の色味補償部３１５は、左目用画像光が入射したときに、左目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第二偏光領域１８７および偏光眼鏡２０２の位相差板３４５などを透過するときに左目用画像光において強度が減衰する波長帯域にそれぞれ対応する。
【００４３】
このように、偏光眼鏡２０２は、観察者５００の右目５１２側および左目５１４側にそれぞれ色味補償部３１３および色味補償部３１５を配することにより、右目用画像光および左目用画像光がそれぞれ偏光軸制御板１８５の第一偏光領域１８６および第二偏光領域１８７、さらには偏光眼鏡２０２の位相差板３４３および位相差板３４５を透過するときに生じる色味の変化を補償することができる。したがって、観察者５００は、例えば青味がかったり赤味がかった右目用画像光および左目用画像光を観察することがないので、原画像により忠実な色調の立体画像を観察することができる。
【００４４】
また、上記画像表示装置１０１を観察する場合、観察者５００は、図７に示す偏光眼鏡２０３をかけて観察してもよい。図７に示す偏光眼鏡２０３において、上記偏光眼鏡２０２などと同じ構成については同じ参照番号を付して説明を省略する。この偏光眼鏡２０３には、図７に示すように、観察者５００がこの偏光眼鏡２０３をかけたときに観察者５００の右目５１２側にあたる位置に位相差板３４７、右目用画像透過部３３７および色味補償部３１７が図７に示す順序で配され、左目５１４側にあたる位置に位相差板３４９、左目用画像透過部３３９および色味補償部３１９が図７に示す順序で配される。
【００４５】
偏光眼鏡２０３の位相差板３４７および位相差板３４９は、光学軸がともに鉛直方向である１／４波長板である。したがって、位相差板３４７は、偏光軸が観察者５００から見て右回りの円偏光が入射したときに、その円偏光を右斜め４５度の直線偏光に変換する。また、位相差板３４９は、偏光軸が観察者５００から見て左回りの円偏光が入射したときに、その円偏光を左斜め４５度の直線偏光に変換する。
【００４６】
また、偏光眼鏡２０３の右目用画像透過部３３７には、透過軸方向が左斜め４５度の方向であり吸収軸方向が上記透過軸方向と直交する方向である偏光膜を貼り付けた偏光レンズが用いられる。また、左目用画像透過部３３９には、透過軸方向が右斜め４５度の方向であり吸収軸方向が上記透過軸方向と直交する方向である偏光膜を貼り付けた偏光レンズが用いられる。
【００４７】
観察者５００は、偏光眼鏡２０３をかけて画像表示装置１０１を観察することにより、上記偏光眼鏡２０１および偏光眼鏡２０２をかけて画像表示装置１０１を観察するときと同様に、右目５１２では右目用画像光だけを観察することができ、左目５１４では左目用画像光だけを観察することができる。
【００４８】
また、偏光眼鏡２０３の色味補償部３１７は、右目用画像光が入射したときに、右目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第一偏光領域１８６および偏光眼鏡２０３の位相差板３４７などを透過するときに右目用画像光において強度が減衰する波長帯域に対応する。
【００４９】
また、偏光眼鏡２０３の色味補償部３１９は、左目用画像光が入射したときに、左目用画像光のうちの特定の波長帯域以外の波長帯域の画像光を一定の割合だけ吸収することにより、上記特定の波長帯域の画像光の強度を相対的に強める。ここで、上記特定の波長帯域は、偏光軸制御板１８５の第二偏光領域１８７および偏光眼鏡２０３の位相差板３４９などを透過するときに左目用画像光において強度が減衰する波長帯域にそれぞれ対応する。
【００５０】
このように、偏光眼鏡２０３は、観察者５００の右目５１２側および左目５１４側にそれぞれ色味補償部３１７および色味補償部３１９を配することにより、右目用画像光および左目用画像光がそれぞれ偏光軸制御板１８５の第一偏光領域１８６および第二偏光領域１８７、さらには偏光眼鏡２０３の位相差板３４７および位相差板３４９を透過するときに生じる色味の変化を補償することができる。したがって、観察者５００は、例えば青味がかったり赤味がかった右目用画像光および左目用画像光を観察することがないので、原画像により忠実な色調の立体画像を観察することができる。
【００５１】
なお、観察者５００が上記偏光眼鏡２０１をかけて上記画像表示装置１０１を観察する場合、画像表示装置１０１の偏光板１７０を透過した右目用画像光および左目用画像光は、ともに偏光軸の方向が左上４５度の直線偏光であるのに対し、偏光眼鏡２０１の位相差板２４３で変換されて右目用画像透過部２３３を透過した右目用画像光、および、位相差板２４５で変換されて左目用画像透過部２３５を透過した左目用画像光は、ともに偏光軸の方向が右上４５度の直線偏光である。したがって、偏光板１７０を透過した右目用画像光および左目用画像光は、偏光眼鏡２０１の右目用画像透過部２３３および左目用画像透過部２３５を透過するまでにそれぞれ同じ角度だけ偏光軸が回転されていることになる。故に、観察者５００が観察する右目用画像光および左目用画像光に生じる色味の変化はほぼ同じになるので、偏光眼鏡２０１の色味補償部２１３および色味補償部２１５には、同じものを用いてもよい。
【００５２】
これに対し、観察者５００が上記偏光眼鏡２０２をかけて上記画像表示装置１０１を観察する場合、偏光眼鏡２０１の位相差板３４３で変換されて右目用画像透過部３３３を透過した右目用画像光、および、位相差板３４５で変換されて左目用画像透過部３３５を透過した左目用画像光は、偏光軸の方向がそれぞれ右上４５度および左上４５度の直線偏光である。したがって、偏光板１７０を透過した右目用画像光および左目用画像光は、偏光眼鏡２０２の右目用画像透過部３３３および左目用画像透過部３３５を透過するまでにそれぞれ異なる角度だけ偏光軸が回転されていることになる。故に、観察者５００が観察する右目用画像光および左目用画像光に生じる色味の変化は異なるので、偏光眼鏡２０２の色味補償部３１３および色味補償部３１５には、それぞれの画像光の色味の変化に対応したものを用いることが好ましい。また、上記偏光眼鏡２０３をかけた観察者５００が観察する右目用画像光および左目用画像光に生じる色味の変化は上記偏光眼鏡２０２の場合と同様の理由により異なる。したがって、偏光眼鏡２０３の色味補償部３１７および色味補償部３１９についても、それぞれの画像光の色味の変化に対応したものを用いることが好ましい。
【００５３】
なお、上記画像表示装置１０１において、偏光軸制御板１８５の第一偏光領域１８６および第二偏光領域１８７は、互いの光学軸が４５度の角度を成す半波長板であってもよい。この場合、第一偏光領域１８６を透過した右目用画像光、および、第二偏光領域１８７を透過した左目用画像光は、偏光軸が互いに直交する直線偏光となる。例えば、第一偏光領域１８６の光学軸の方向が左上６７．５度であり、第二偏光領域１８７の光学軸の方向が左上２２．５度である場合、第一偏光領域１８６を透過した右目用画像光は偏光軸が鉛直方向の直線偏光となり、第二偏光領域１８７を透過した左目用画像光は偏光軸が水平方向の直線偏光となる。
【００５４】
また、このような偏光軸制御板１８５を用いた画像表示装置１０１を観察する場合、観察者５００は、上記偏光眼鏡２００と略同様の構成を有する偏光眼鏡をかけて観察することが好ましい。ただし、この場合、偏光眼鏡２００の右目用画像透過部２３２には、第一偏光領域１８６を透過した右目用画像光の偏光軸の方向と透過軸方向が略同じ垂直方向である偏光レンズが用いられ、左目用画像透過部２３４には、第二偏光領域１８７を透過した左目用画像光の偏光軸の方向と透過軸方向が略同じ水平方向である偏光レンズが用いられる。
【００５５】
また、この場合、偏光眼鏡２００には、上記強度調整部２１２に替えて、右目用画像光が偏光軸制御板１８５の第一偏光領域１８６を透過するときに、第一偏光領域１８６に吸収されたり偏光軸が回転されることにより強度が減衰する波長帯域以外の波長帯域の画像光を一定の割合だけ吸収する色味補償部が配される。また、右目用画像光および左目用画像光がそれぞれ偏光軸制御板１８５において偏光軸が回転されるときの回転角度が異なる場合、観察者５００が観察する右目用画像光および左目用画像光に生じる色味の変化は異なるので、偏光眼鏡２００の色味補償部２１４および上記強度調整部２１２に替えて配される色味補償部には、それぞれの画像光の色味の変化に対応したものを用いることが好ましい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５７】
【図１】本実施形態の立体画像表示システム１０の一部である画像表示装置１００の分解斜視図である。
【図２】立体画像表示システム１０の使用状態を示す概略図である。
【図３】立体画像表示システム１０により表示される立体画像の観察に用いる偏光眼鏡２００の分解斜視図である。
【図４】図１に示す画像表示装置１００に替えて立体画像表示システム１０に用いることのできる画像表示装置１０１の分解斜視図である。
【図５】画像表示装置１０１を用いた立体画像表示システム１０により表示される立体画像の観察に用いる偏光眼鏡２０１の分解斜視図である。
【図６】画像表示装置１０１を用いた立体画像表示システム１０により表示される立体画像の観察に用いる偏光眼鏡２０２の分解斜視図である。
【図７】画像表示装置１０１を用いた立体画像表示システム１０により表示される立体画像の観察に用いる偏光眼鏡２０３の分解斜視図である。
【符号の説明】
【００５８】
１０  立体画像表示システム、１００、１０１  画像表示装置、１２０  光源、１５０  偏光板、１６０  画像生成部、１６２  右目画像生成領域、１６４  左目画像生成領域、１７０  偏光板、１８０、１８５  偏光軸制御板、１８１、１８６  第一偏光領域、１８２、１８７  第二偏光領域、２００、２０１、２０２、２０３  偏光眼鏡、２１２  強度調整部、２１３、２１４、２１５  色味補償部、２３２、２３３  右目用画像透過部、２３４、２３５  左目用画像透過部、２４３、２４５  位相差板、２５０  フレーム、３１３、３１５、３１７、３１９  色味補償部、３３３、３３７  右目用画像透過部、３３５、３３９  左目用画像透過部、３４３、３４５、３４７、３４９  位相差板、５００  観察者、５１２  右目、５１４  左目
【図１】
2008170557.tif 000003
【図２】
2008170557.tif 000004
【図３】
2008170557.tif 000005
【図４】
2008170557.tif 000006
【図５】
2008170557.tif 000007
【図６】
2008170557.tif 000008
【図７】
2008170557.tif 000009